(57)【特許請求の範囲】
【請求項１】
光透過性を有する基材の一方の面の少なくとも一部に、光遮断性のインキから成る第１の光遮断層が形成され、前記第１の光遮断層には、前記光遮断性のインキが施されないことによって形成された第１の光透過性要素が、規則的に複数配置され、前記規則的に複数配置された前記第１の光透過性要素のうち、複数の前記第１の光透過性要素は、第１の方向、第２の方向、・・・、第ｎの方向（ｎは自然数）のうち、少なくとも一つの方向に隣接又は近接する位置に、前記光遮断性のインキと同じ光遮断性を有し、かつ、前記光遮断性のインキと等色又は異なる色のインキから成る盛り上がりを有する第１の光遮断要素を有し、前記第１の方向に前記第１の光遮断要素を有する前記第１の光透過性要素によって、第１の潜像が形成され、前記第２の方向に前記第１の光遮断要素を有する前記第１の光透過性要素によって、第２の潜像が形成され、・・・、前記第ｎの方向に前記第１の光遮断要素を有する前記第１の光透過性要素によって、第ｎの潜像が形成され、前記基材を、透過光で傾けて観察すると、前記第１の光遮断要素を有していない前記第１の光透過性要素は、光が透過し、前記第１の光遮断要素を有する前記第１の光透過性要素は、前記第１の光遮断要素によって光が遮断されることでコントラストが生じて前記潜像が観察されることを特徴とする潜像印刷物。
【請求項２】
複数の前記第１の光透過性要素が、複数の方向に前記第１の光遮断要素を有し、前記潜像が複数形成される場合、前記潜像を構成する前記第１の光透過性要素の少なくとも一つは、前記第１の方向、前記第２の方向、・・・、前記第ｎの方向のうち、少なくとも二つの方向に前記第１の光遮断要素を有することを特徴とする請求項１記載の潜像印刷物。
【請求項３】
前記第１の光遮断要素の幅は、前記第１の光透過性要素の幅以上の大きさであることを特徴とする請求項１又は２記載の潜像印刷物。
【請求項４】
前記第１の光遮断層に、
ｉ）前記第１の光透過性要素及び前記第１の光遮断要素と重複しない位置に、前記第１の光遮断層と異なる色のインキで形成された複数の画素及び画線のいずれか又はそれらの組み合わせから成る反射画像が形成され、前記画線及び／又は画素は、前記画線及び／又は画素に隣接又は近接する位置に、前記光遮断性のインキと同じ光遮断性を有し、かつ、前記光遮断性のインキと等色又は異なる色のインキから成る盛り上がりを有する第２の光遮断要素を有し、及び／又は、
ｉｉ）前記第１の光透過性要素及び前記第１の光遮断要素と重複しない位置に、前記光遮断性のインキが施されないことによって形成された第２の光透過性要素が複数配置されて成る情報画像が形成され、前記第２の光透過性要素は、前記第２の光透過性要素に隣接又は近接する位置に、前記光遮断性のインキと同じ光遮断性を有し、かつ、前記光遮断性のインキと等色又は異なる色のインキから成る盛り上がりを有する第３の光遮断要素を有し、前記反射画像が形成される前記ｉ）及び前記情報画像が形成される前記ｉｉ）の場合、前記画線及び／又は画素と前記第２の光透過性要素が、互いに重複しない位置に配置されることを特徴とする請求項１乃至３のいずれか１項に記載の潜像印刷物。
【発明の詳細な説明】
【技術分野】
【０００１】
本発明は、銀行券、株券、有価証券、通行券、パスポート、商品券、カード等の貴重印刷物の分野において、傾けて観察したときに潜像を観察することができる潜像印刷物に関するものである。
【背景技術】
【０００２】
銀行券、株券、有価証券、通行券、商品券、カード等の貴重印刷物は、その性質上、偽造や改竄されないことが要求される。この防止策の中には、レーザ穿孔、表裏合成模様、すかし模様等の透過光により画像が観察される技術が用いられている。
【０００３】
このような、透過光により画像が観察される技術として、本出願人は、基材にレーザにより貫通する穿孔群とその周囲の一部に貫通しない穿孔群を設けた真偽判別形成体を提案している（例えば、特許文献１参照）。特許文献１の真偽判別形成体を、透過光で斜めにして観察した際に、光が透過する部分と、光が透過しない部分が生じ、かつ、その配置が観察する方向により異なることで、画像が変化して観察される。
【０００４】
また、本出願人は、基材の一方の面と他方の面の両方に、光透過性画素を有する光遮断層を設け、一方の面に配置される光透過性画素と他方の面に配置される光透過性画素を、特定方向及び特定距離ずらして配置した真偽判別形成体を提案している（例えば、特許文献２参照）。特許文献２の真偽判別形成体においても、特許文献１の技術と同様に、透過光で斜めから観察すると、光が透過する部分と、光が透過しない部分が生じ、かつ、その配置が観察する方向により異なることで、画像が変化して観察される。
【先行技術文献】
【特許文献】
【０００５】
【特許文献１】特許第４３４４７９９号
【特許文献２】特許第４４１１３９９号
【発明の概要】
【発明が解決しようとする課題】
【０００６】
特許文献１及び２の発明は、透過光で観察する方向によって、画像が明瞭に変化するため、真偽判別効果に優れ、改竄、複製防止効果も高いが、以下の問題がある。
【０００７】
特許文献１の発明は、基材に、貫通する穿孔群と貫通しない穿孔群を設ける構成であり、基材の一部を破壊するため、基材の強度が低下するという問題があった。
【０００８】
また、基材は光透過性がなく、さらに貫通する穿孔群とその周囲の一部に貫通しない穿孔群を設ける必要があるため、基材の厚みに制限があった。また、微細な穿孔を形成するために、レーザ加工装置を用いる必要があり、大量生産をすることが困難であるとともに、貫通する穿孔と貫通しない穿孔の加工精度に労力を要するという問題があった。
【０００９】
一方、特許文献２の発明は、基材の表裏に光遮断層を設ける構成とすることで基材自体を破壊することはないが、光透過性画素を透過して観察される画像の明るさは、基材の厚さに比例する構造であり、真偽判別のために視認性のよい画像を出現させようとする場合には、それだけ厚い基材を用いなければならず、基材の厚さが限定されるという問題がある。
【００１０】
また、前述した貴重印刷物に真偽判別形成体を形成する場合、ベタ印刷、金属箔、ホログラム等で形成される光遮断層が基材の両面に必ず設けられるため、基材の両面がデザイン上の制約を受けるという問題がある。また、表裏に光遮断層を形成する場合、表面と裏面のそれぞれを加工する工程が必要となり製造効率が悪いという問題がある。
【００１１】
以上のことから、本発明は前述した問題点を解決することを目的としたもので、基材を破壊して強度を損なうことなく、基材の一方の面に光遮断層を設ける構成とすることで、裏面のデザイン上の制約が解消され、透過光による観察で模様の変化を視認することができる潜像印刷物を提供するものである。  
【課題を解決するための手段】
【００１２】
本発明の潜像印刷物は、光透過性を有する基材の一方の面の少なくとも一部に、光遮断性のインキから成る第１の光遮断層が形成され、第１の光遮断層には、光遮断性のインキが施されないことによって形成された第１の光透過性要素が、規則的に複数配置され、規則的に複数配置された第１の光透過性要素のうち、複数の第１の光透過性要素は、第１の方向、第２の方向、・・・、第ｎの方向（ｎは自然数）のうち、少なくとも一つの方向に隣接又は近接する位置に、光遮断性のインキと同じ光遮断性を有し、かつ、光遮断性のインキと等色又は異なる色のインキから成る盛り上がりを有する第１の光遮断要素を有し、第１の方向に第１の光遮断要素を有する第１の光透過性要素によって、第１の潜像が形成され、第２の方向に第１の光遮断要素を有する第１の光透過性要素によって、第２の潜像が形成され、・・・、第ｎの方向に第１の光遮断要素を有する第１の光透過性要素によって、第ｎの潜像が形成され、基材を、透過光で傾けて観察すると、第１の光遮断要素を有していない第１の光透過性要素は、光が透過し、第１の光遮断要素を有する第１の光透過性要素は、第１の光遮断要素によって光が遮断されることでコントラストが生じて潜像が観察されることを特徴とする。
【００１３】
また、本発明の潜像印刷物は、複数の第１の光透過性要素が、複数の方向に第１の光遮断要素を有し、潜像が複数形成される場合、潜像を構成する第１の光透過性要素の少なくとも一つは、第１の方向、第２の方向、・・・、第ｎの方向のうち、少なくとも二つの方向に第１の光遮断要素を有することを特徴とする。
【００１４】
また、本発明の潜像印刷物は、第１の光遮断要素の幅は、第１の光透過性要素の幅以上の大きさであることを特徴とする。
【００１５】
また、本発明の潜像印刷物は、第１の光遮断層に、ｉ）第１の光透過性要素及び第１の光遮断要素と重複しない位置に、第１の光遮断層と異なる色のインキで形成された複数の画素及び画線のいずれか又はそれらの組み合わせから成る反射画像が形成され、画線及び／又は画素は、画線及び／又は画素に隣接又は近接する位置に、光遮断性のインキと同じ光遮断性を有し、かつ、光遮断性のインキと等色又は異なる色のインキから成る盛り上がりを有する第２の光遮断要素を有し、及び／又は、ｉｉ）第１の光透過性要素及び第１の光遮断要素と重複しない位置に、光遮断性のインキが施されないことによって形成された第２の光透過性要素が複数配置されて成る情報画像が形成され、第２の光透過性要素は、第２の光透過性要素に隣接又は近接する位置に、光遮断性のインキと同じ光遮断性を有し、かつ、光遮断性のインキと等色又は異なる色のインキから成る盛り上がりを有する第３の光遮断要素を有し、反射画像が形成されるｉ）及び情報画像が形成されるｉｉ）の場合、画線及び／又は画素と第２の光透過性要素が、互いに重複しない位置に配置されることを特徴とする。
【発明の効果】
【００１６】
本発明の潜像印刷物は、基材を破壊して強度を損なうことなく、基材の一方の面に印刷等により光遮断層を設ける構成で、透過光による模様の変化を観察することができる。また、他方の面に光遮断層を設ける必要がないため、他方の面のデザイン上の制約が解消される。
【００１７】
また、本発明の潜像印刷物は、基材の一方の面に設けた光遮断層によって潜像を形成するため、基材の厚さが限定されることがなく、視認性のよい潜像を出現させることができる。
【図面の簡単な説明】
【００１８】
【図１】本発明の潜像印刷物の構成を示す図である。
【図２】潜像印刷物の真偽判別領域の構成を示す図である。
【図３】本発明の潜像印刷物によって観察される潜像を示す図である。
【図４】第１の光遮断層と第１の光遮断層に形成される第１の光透過性要素を示す図である。
【図５】第１の光透過性要素の形状を示す図である。
【図６】第１の光遮断層の上に重なる第１の光遮断要素の配置を示す図である。
【図７】第１の光遮断層の上に重なる第１の光遮断要素の配置を示す図である。
【図８】第１の光遮断要素が配置される方向を示す図である。
【図９】第１の光透過性要素に隣接して第１の光遮断要素が配置される状態を示す図である。
【図１０】第１の光遮断要素の形状を示す図である。
【図１１】第１の光透過性要素と第１の光遮断要素における、第１の方向に対して垂直方向の幅を説明する図である。
【図１２】第１の光遮断要素における、第１の方向に対して垂直方向の幅を説明する図である。
【図１３】潜像印刷物を表側の面から観察するときの状態を示す図である。
【図１４】潜像印刷物を裏側の面から観察するときの状態を示す図である。
【図１５】第１の光透過性要素と第１の光遮断要素が近接して配置された状態を示す図である。
【図１６】第１の光透過性要素に隣接して配置される第１の光遮断要素と、第１の光透過性要素に近接して配置される第１の光遮断要素を示す図である。
【図１７】潜像印刷物に形成される複数の潜像のそれぞれに対応する第１の光遮断要素を示す図である。
【図１８】第１の光遮断層の上に重なる第１の光遮断要素の配置の一例を示す図である。
【図１９】潜像印刷物に形成される複数の潜像に対応する第１の光遮断要素を示す図である。
【図２０】潜像印刷物を観察するときの状態を示す図である。
【図２１】第１の光遮断要素の形状と、第１の光透過性要素に対する配置を示す図である。
【図２２】第１の光遮断層の上に形成される反射画像を示す図である。
【図２３】画素に隣接して配置される第２の光遮断要素を示す図である。
【図２４】第２の実施の形態における潜像印刷物の第１の光遮断層を示す図である。
【図２５】潜像印刷物の真偽判別領域の構成を示す図である。
【図２６】第２の実施の形態において、反射画像が形成された潜像印刷物の構成を示す図である。
【発明を実施するための形態】
【００１９】
本発明を実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００２０】
本発明の潜像印刷物（１）は、図１に示すように、光透過性を有する基材（１０）の一方の面の少なくとも一部に、真偽判別領域（５）を備える。図１では、基材（１０）の一部に真偽判別領域（５）が設けられているが、潜像印刷物全体を真偽判別領域（５）とする構成であってもよい。
【００２１】
図２（ａ）は、本発明の潜像印刷物（１）の真偽判別領域（５）の一部斜視図であり、図２（ｂ）は、図２（ａ）に示すＸ−Ｘ’線における断面図である。真偽判別領域（５）は、図２に示すように、光透過性を有する基材（１０）の上に、光遮断性のインキによって、第１の光遮断層（１１）が形成され、第１の光遮断層（１１）は、部分的に光遮断性のインキが施されないことによって形成された複数の第１の光透過性要素（１２Ａ）を備える。以降の説明では、基材（１０）の上に第１の光遮断層（１１）が形成される面を「表側の面」とし、その反対の面を「裏側の面」として説明する。
【００２２】
第１の光透過性要素（１２Ａ）に隣接又は近接する位置の第１の光遮断層（１１）の上には、光遮断性のインキで形成された盛り上がりを有する第１の光遮断要素（１３Ａ）が複数配置される。本発明では、光遮断性のインキで形成された盛り上がりの量のことを「第１の光遮断要素の高さ（Ｈ）」として説明することとし、第１の光遮断要素の高さ（Ｈ）を図２（ｂ）に示す。なお、第１の光遮断要素（１３Ａ）が形成される位置の詳細な説明については、後述する。
【００２３】
そして、本発明の潜像印刷物（１）の真偽判別領域（５）を、基材（１０）に対して斜めの方向から透過光で観察すると、図３に示すように、観察する方向によって潜像（１６）が観察される。なお、図３においては、潜像印刷物（１）を四つの異なる斜めの方向から観察したときに、それぞれの方向で異なる図柄の潜像（１６）が観察された状態を示している。
【００２４】
以下、本発明の潜像印刷物（１）の真偽判別領域（５）の詳細な構成について説明する。なお、本発明の潜像印刷物（１）は、観察する方向に応じて、複数の異なる潜像を観察できる構成とすることができるが、はじめに、一つの潜像（１６）が観察される潜像印刷物（１）の構成と、潜像（１６）の図柄が観察される原理について説明する。また、潜像（１６）の図柄に「１」の文字が形成される例で説明する。
【００２５】
（光透過性基材）
本発明において、基材（１０）は、光透過性を有するものであれば、特に限定されるものではなく、紙、プラスチック、フィルム等を用いることができる。
【００２６】
（第１の光遮断層）
図４は、光透過性基材（１０）の上に形成される第１の光遮断層（１１）の平面図であり、第１の光遮断層（１１）には、部分的に光遮断性のインキが施されないことによって形成される第１の光透過性要素（１２Ａ）を複数備える。
【００２７】
本発明において、第１の光遮断層（１１）が備える第１の光透過性要素（１２Ａ）は、規則的に複数配置される。なお、本発明において、「第１の光透過性要素（１２Ａ）を規則的に配置する」とは、複数の第１の光透過性要素（１２Ａ）が、特定のピッチで二つの異なる方向にマトリクス状に配置された状態のことである。図４では、第１の光透過性要素（１２Ａ）が上下左右方向の二つの方向に特定のピッチで配置された状態を示しているが、二つの異なる方向は、上下左右方向に限定されず、斜め方向であってもよい。以降、第１の光透過性要素（１２Ａ）が規則的に配置される特定のピッチのことを第１のピッチ（Ｐ１）として説明する。
【００２８】
図４では、正方形の形状で形成された第１の光透過性要素（１２Ａ）を示しているが、本発明において、第１の光透過性要素（１２Ａ）の形状は、円、楕円、三角形、長方形、五角形、それ以上の多角形又は任意の図形であってもよい。また、図４では、複数の第１の光透過性要素（１２Ａ）が、全て同じ形状で形成されている状態を示しているが、透過光で潜像を観察するときに、目視上、同じように観察される範囲であれば、図５（ａ）に示すように、第１の光透過性要素（１２Ａ）は全て異なる形状で形成されてもよいし、図５（ｂ）に示すように、一部が、異なる形状で形成されてもよい。ここでは、図４に示す構成の第１の光遮断層（１１）の例で説明する。
【００２９】
第１の光透過性要素（１２Ａ）の大きさは、特に限定されるものではないが、前述したような銀行券、株券、有価証券、通行券、パスポート等の貴重印刷物に真偽判別領域（５）を形成する場合に、他のデザインとの関係や、潜像の図柄の解像度の問題から１０μｍ〜５００μｍの範囲で形成される。
【００３０】
第１の光遮断層（１１）を形成する光遮断性のインキは、透過光で観察するときに完全に光を遮断する必要はなく、透過光で観察したときに、第１の光遮断層（１１）のうち、第１の光透過性要素（１２Ａ）が配置された部分に対し、光遮断性のインキで形成される部分が、光の透過量の差によるコントラスが得られればよい。このようなインキとしては、公知の着色インキを用いることができる。
【００３１】
また、光遮断性のインキは、公知の着色インキに光遮断性の効果のある炭酸カルシウム、二酸化チタン等の顔料を加えて用いてもよい。この場合、第１の光透過性要素（１２Ａ）が配置された部分に対し、光遮断性のインキで形成される部分のコントラストを高めることができるため、潜像の視認性が良好と成る。また、光遮断性のインキは、光を完全に遮断することができるカーボンブラックインキ、金属インキを用いてもよい。
【００３２】
第１の光遮断層（１１）の形成方法は、スクリーン印刷、インクジェット印刷、凹版印刷、オフセット印刷、凸版印刷、グラビア印刷、塗布等の公知の印刷方法を用いることができる。
【００３３】
（第１の光遮断要素）
図６（ａ）は、真偽判別領域（５）の平面図である。図６（ａ）に示すように、第１の光透過性要素（１２Ａ）に隣接又は近接する位置の第１の光遮断層（１１）の上には、光遮断性のインキで形成された盛り上がりを有する第１の光遮断要素（１３Ａ）が配置され、潜像の図柄が模られる。図６（ａ）は、潜像（１６）の図柄として、「１」の文字が白抜きの状態で模られており、「１」の文字の背景となる部分に第１の光遮断要素（１３Ａ）が配置された状態を示しているが、図６（ｂ）に示すように、潜像の図柄である「１」の文字が第１の光遮断要素（１３Ａ）で模られ、「１」の文字の背景となる部分に第１の光遮断要素（１３Ａ）が配置されない構成としてもよい。ここでは、図６（ａ）に示す配置の構成で、第１の光透過性要素（１２Ａ）に隣接して第１の光遮断要素（１３Ａ）が配置される例について説明する。
【００３４】
続いて、第１の光透過性要素（１２Ａ）に対して、第１の光遮断要素（１３Ａ）が配置される方向について説明する。
【００３５】
本発明において、第１の光遮断要素（１３Ａ）は、第１の光透過性要素（１２Ａ）に対して、第１の方向、第２の方向、・・・、第ｎの方向（ｎは自然数）のうち、少なくとも一つの方向に配置される。なお、第１の方向、第２の方向、・・・、第ｎの方向は互いに異なる方向である。また、本発明において、第１の光遮断要素（１３Ａ）が第１の光透過性要素（１２Ａ）に対して配置される方向の数は、観察される潜像の数及び基材（１０）に対して斜めから観察する方向の数と同じである。ここでは、一つの潜像（１６）が観察される潜像印刷物（１）について説明しているので、第１の光遮断要素（１３Ａ）が配置される方向の数も一つであり、第１の光遮断要素（１３Ａ）が配置される一つの方向を「第１の方向（Ｓ１）」として説明する。
【００３６】
図７は、第１の光遮断層（１１）の上に配置される第１の光遮断要素（１３Ａ）の配置の例を示す平面図である。この配置の例では、図７の拡大図に示すように、第１の光透過性要素（１２Ａ）に対して、下方向を第１の方向（Ｓ１）とし、第１の光遮断要素（１３Ａ）が隣接して配置された状態を示している。本発明では、図７に示すように、第１の光透過性要素（１２Ａ）に対して同じ第１の方向に配置された第１の光遮断要素（１３Ａ）によって、図６に示すように、一つの潜像（１６）の図柄が模られ、第１の方向に配置された第１の光遮断要素（１３Ａ）を有する第１の光透過性要素（１２Ａ）によって、潜像（１６）が形成される。以降、第１の方向に配置された第１の光遮断要素（１３Ａ）を有する第１の光透過性要素（１２Ａ）によって形成される潜像のことを「第１の潜像（１６Ａ１）」として説明する。
【００３７】
なお、本発明において、第１の光遮断要素（１３Ａ）が配置される第１の方向（Ｓ１）は、図７に示す方向（下方向）に限定されず、図８（ａ）に示すように、第１の光透過性要素（１２Ａ）に対して上方向であってもよいし、図８（ｂ）に示すように、第１の光透過性要素（１２Ａ）に対して右方向であってもよいし、図８（ｃ）に示すように、第１の光透過性要素（１２Ａ）に対して左方向であってもよい。また、図８（ｄ）に示すように、第１の光遮断要素（１３Ａ）が第１の光透過性要素（１２Ａ）に対して斜め方向に配置されて、第１の光透過性要素（１２Ａ）と第１の光遮断要素（１３Ａ）が点で接する配置であってもよい。ただし、前述のように、一つの潜像（１６）の図柄を模るために、第１の光透過性要素（１２Ａ）に対して第１の光遮断要素（１３Ａ）が配置される第１の方向は、全ての第１の光遮断要素（１３Ａ）において、同じ方向である。
【００３８】
図９は、第１の光透過性要素（１２Ａ）と第１の光遮断要素（１３Ａ）が隣接して配置された状態を詳細に説明するための図であり、図７に示す配置の例に対して、第１の光遮断要素（１３Ａ）の輪郭を破線で示している。本発明において、第１の光透過性要素（１２Ａ）に隣接して第１の光遮断要素（１３Ａ）が配置される場合、図９の拡大図に示すように、第１の光透過性要素（１２Ａ）と第１の光遮断要素（１３Ａ）の輪郭が互いに接して配置された状態となっている。
【００３９】
図９（ｂ）は、図９（ａ）の拡大図のＹ−Ｙ’線における断面図である。図９（ａ）では、第１の光透過性要素（１２Ａ）と第１の光遮断要素（１３Ａ）の輪郭が互いに接して配置されているが、実際には、図９（ｂ）の断面図に示すように、第１の光透過性要素（１２Ａ）に隣接する第１の光遮断層（１１）の上に第１の光遮断要素（１３Ａ）が配置される。このように、第１の光透過性要素（１２Ａ）と第１の光遮断要素（１３Ａ）同士は、直接隣接するものではないが、本発明では、図９に示す第１の光透過性要素（１２Ａ）に隣接する第１の光遮断層（１１）の上に第１の光遮断要素（１３Ａ）が配置された状態のことを「隣接する配置」として説明する。
【００４０】
続いて、第１の光遮断要素（１３Ａ）の形状について説明する。本発明において、第１の光遮断要素（１３Ａ）の形状は、特に限定されることはなく、図１０（ａ）に示す台形、図１０（ｂ）に示す三角形でもよいし、その他の形状でもよい。また、図１０（ｃ）に示すように、複数の第１の光遮断要素（１３Ａ）の形状は異なってもよい。また、好ましくは、第１の光遮断要素（１３Ａ）の第１の方向に対する垂直方向の幅（Ｗ１）が、第１の光透過性要素（１２Ａ）の第１の方向に対する垂直方向の幅（Ｗ２）と同じか、第１の光遮断要素（１３Ａ）の、第１の方向に対して垂直な方向の幅（Ｗ１）が、第１の光透過性要素（１２Ａ）の、第１の方向に対する垂直方向の幅（Ｗ２）より大きくするのがよい。第１の光遮断要素（１３Ａ）の第１の方向に対する垂直方向の幅（Ｗ１）と第１の光透過性要素（１２Ａ）の第１の方向に対する垂直方向の幅（Ｗ２）の関係について、以下に説明する。例として、長方形の形状の第１の光遮断要素（１３Ａ）が、正方形の形状の第１の光透過性要素（１２Ａ）に対して下方向に配置された例で説明する。
【００４１】
第１の光遮断要素（１３Ａ）の第１の方向に対する垂直方向の幅（Ｗ１）とは、図１１（ａ）に示すように、第１の方向（Ｓ１）に対して垂直方向に位置する第１の光遮断要素（１３Ａ）の最端位置間の距離のことであり、図１１（ａ）に示す構成と配置の場合、第１の光遮断要素（１３Ａ）の右端から左端までの距離となる。第１の光透過性要素（１２Ａ）の幅（Ｗ２）についてもこれと同様である。前述したように、第１の光遮断要素（１３Ａ）の幅（Ｗ１）が、第１の光透過性要素（１２Ａ）の幅（Ｗ２）と同じか（図１１（ａ））、又は、第１の光透過性要素（１２Ａ）の幅（Ｗ２）より大きく形成される（図１１（ｂ））。  なお、正方形の形状の第１の光透過性要素（１２Ａ）に対して、五角形の形状の第１の光遮断要素（１３Ａ）を下方向に配置した場合、第１の光遮断要素（１３Ａ）の幅（Ｗ１）は、図１２に示すとおりとなる。
【００４２】
第１の光遮断要素（１３Ａ）の幅（Ｗ１）を第１の光透過性要素（１２Ａ）の幅（Ｗ２）以上の大きさで形成する理由は、第１の光遮断要素（１３Ａ）の幅（Ｗ１）を、第１の光透過性要素（１２Ａ）の幅（Ｗ２）より大きくすることによって、透過光で斜めから観察したときに、第１の光透過性要素（１２Ａ）を透過する光を完全に遮断して、潜像（１６）を観察するためのコントラストを得るためである。なお、潜像（１６）の観察原理については後述する。以降の説明では、図１１に示すように、第１の光遮断要素（１３Ａ）の幅（Ｗ１）が第１の光透過性要素（１２Ａ）の幅（Ｗ２）以上の大きさで形成される構成で説明する。
【００４３】
第１の光遮断要素（１３Ａ）は、第１の光遮断層（１１）を形成するために用いるインキと同じインキを用いることができる。なお、潜像を一つだけ形成する場合において、第１の光遮断層（１１）と第１の光遮断要素（１３Ａ）の色が異なると、真偽判別領域（５）が設けられた表側の面から反射光によって観察したときに、第１の光遮断要素（１３Ａ）の配置によって、潜像の図柄が視認されてしまうことから、潜像を一つだけ形成する場合には、第１の光遮断層（１１）を形成するインキと等色のインキを用いる必要がある。なお、本発明において、「等色」とは、第１の光遮断層（１１）を形成するインキと第１の光遮断要素（１３Ａ）を形成するインキの色差ΔＥが６未満の範囲のことである。一方、本発明において、複数の異なる方向から観察される潜像を、複数形成する場合には、第１の光遮断要素（１３Ａ）を形成するインキは、第１の光遮断層（１１）を形成するインキと等色のインキであってもよいし、異なる色のインキであってもよい。この理由については後述する。
【００４４】
第１の光遮断要素（１３Ａ）は、スクリーン印刷、インクジェット印刷、凹版印刷、塗布等の各種印刷方法を用いることができる。このような印刷方法で第１の光遮断要素（１３Ａ）を形成する理由は、後述する潜像（１６）の観察原理で説明するが、第１の光遮断要素（１３Ａ）は、斜めから観察したときに、第１の光透過性要素（１２Ａ）を透過する光を遮断するためのインキの厚さが必要であり、上述する印刷方法では、インキの厚盛りが可能であるからである。
【００４５】
続いて、以上の構成で成る潜像印刷物（１）において、透過光で観察したときに潜像が観察される原理について説明する。
【００４６】
（潜像の観察原理）
本発明の潜像印刷物（１）は、基材（１０）に対して、第１の光遮断層（１１）が設けられた表側の面又は裏側の面から透過光で傾けることで、潜像（１６）を観察することができる。はじめに、基材（１０）に対して、表側の面から観察する場合について説明する。
【００４７】
図１３（ａ）は、図７に示すＹ−Ｙ’線における断面図と、Ｙ−Ｙ’線上の潜像印刷物（１）に対して、真上及び斜めの方向から観察するときの状態を示す図である。また、図１３（ｂ）は、図７に示すＸ−Ｘ’線における断面図と、Ｘ−Ｘ’線上の潜像印刷物（１）に対して、真上及び斜めの方向から観察するときの状態を示す図である。本発明の潜像印刷物（１）の潜像を観察する場合、図１３（ａ）及び（ｂ）に示すように、視点（２０）と光源（２１）の間に潜像印刷物（１）を配置し、潜像印刷物（１）を透過する光源（２１）の光によって観察する。なお、本発明の潜像印刷物（１）の潜像を観察するために、特別な光源を用いる必要はなく、太陽光の下や、室内の蛍光灯の下で潜像を観察することができる。
【００４８】
図１３（ａ）及び（ｂ）において、観察点（Ｏ）は、潜像印刷物（１）に対して、真上から観察した場合の視点（２０）の位置である。また、観察点（Ａ）は、第１の光透過性要素（１２Ａ）に対して、第１の光遮断要素（１３Ａ）が配置された第１の方向（Ｓ１）側から逆方向に向かって、かつ、基材（１０）に対して斜めの方向から観察した場合の視点（２０）の位置である。また、図１３（ａ）及び（ｂ）において、実線の矢印は、視点（２０）の位置から観察する方向を示しており、破線の矢印は、光源（２１）の光の進行方向を示している。なお、実際に前述した観察条件の下では、図１３（ａ）及び（ｂ）に示す破線の矢印以外の方向にも光が透過しているが、図１３（ａ）及び（ｂ）では、潜像（１６）の観察に影響する方向のみを図示している。
【００４９】
ここで、視点（２０）が観察点（Ｏ）に位置するとき、第１の光透過性要素（１２Ａ）が形成された部分では、光源（２１）の光がそのまま透過して、マトリクス状に配置された第１の光透過性要素（１２Ａ）の形状が観察されるだけで第１の潜像（１６Ａ１）を観察することができない。
【００５０】
続いて、観察点（Ａ）から観察する場合について説明する。視点（２０）が観察点（Ａ）に位置するとき、図７に示す真偽判別領域（５）のＹ−Ｙ’線上、すなわち、「１」の文字に対して背景と成る部分であり、第１の光透過性要素（１２Ａ）に隣接して第１の光遮断要素（１３Ａ）が形成された部分では、図１３（ａ）に示すように、光源（２１）の光が第１の光遮断要素（１３Ａ）によって遮断されて、光源（２１）の光が視点（２０）に届かない。これは、第１の光遮断要素（１３Ａ）の第１の方向（Ｓ１）に対する垂直方向の幅（Ｗ１）が第１の光透過性要素（１２Ａ）の第１の方向（Ｓ１）に対する垂直方向の幅（Ｗ２）と同じか大きいため、基材（１０）と第１の光透過性要素（１２Ａ）を透過する光が、第１の光遮断要素（１３Ａ）によって遮断されるためである。一方、図７に示す真偽判別領域（５）のＸ−Ｘ’線上、すなわち、「１」の文字の部分であり、第１の光透過性要素（１２Ａ）に対して、第１の光遮断要素（１３Ａ）が形成されない部分では、図１３（ｂ）に示すように、光源（２１）の光が基材（１０）と第１の光透過性要素（１２Ａ）を透過し、第１の光透過性要素（１２Ａ）を透過した光は、第１の光遮断要素（１３Ａ）によって遮断されることなく視点（２０）に届く。
【００５１】
続いて、基材（１０）に対して、裏側の面から観察する場合について説明する。図１４は、図７に示すＹ−Ｙ’線における断面図と、Ｙ−Ｙ’線上の潜像印刷物（１）に対して、裏側の面の真上及び斜めの方向から観察するときの状態を示す図である。この場合、図１４に示すように、基材（１０）の裏側の面に視点（２０）を配置し、基材（１０）の表側の面に位置する光源（２１）の光によって観察する。
【００５２】
図１４において、観察点（Ｏ’）は、潜像印刷物（１）に対して、裏側の面の真上から観察した場合の視点（２０）の位置である。また、観察点（Ａ’）は、第１の光透過性要素（１２Ａ）に対して、第１の光遮断要素（１３Ａ）が配置された第１の方向（Ｓ１）側に向かって、かつ、基材（１０）に対して斜めの方向から観察した場合の視点（２０）の位置である。
【００５３】
ここで、視点（２０）が観察点（Ｏ’）に位置するとき、第１の光透過性要素（１２Ａ）が形成された部分では、光源（２１）の光がそのまま透過して、マトリクス状に配置された第１の光透過性要素（１２Ａ）の形状が観察されるだけで第１の潜像（１６Ａ１）を観察することができない。一方、視点（２０）が観察点（Ａ’）に位置するとき、表側の面から観察した場合と同様の原理によって、「１」の文字に対して背景と成る部分では、図１４に示すように、光源（２１）の光が第１の光遮断要素（１３Ａ）によって遮断され、「１」の文字の部分では、光源（２１）の光がそのまま透過して（図示せず）、光源（２１）の光が視点（２０）に届く。
【００５４】
このように、本発明の潜像印刷物（１）を透過光で傾けて観察すると、第１の光遮断要素（１３Ａ）の有無によって、光源（２１）の光が透過する部分と、透過しない部分が生じ、第１の光遮断要素（１３Ａ）の配置によって模られた第１の潜像（１６Ａ１）が観察される。この場合、「１」の文字が周囲に対して明るく観察される。以上が、本発明の潜像印刷物（１）において潜像が観察される原理である。
【００５５】
なお、第１の光遮断要素の高さ（Ｈ）は、第１の光遮断層（１１）の厚さ、第１の光透過性要素（１２Ａ）の大きさ、観察する角度に応じて、傾けて観察したときに光が遮断できるように、適宜調整すればよい。
【００５６】
また、第１の光遮断要素（１３Ａ）の幅（Ｗ１）が、第１の光透過性要素（１２Ａ）の幅（Ｗ２）より小さくなるほど、第１の光透過性要素（１２Ａ）のみが形成された部分との透過光のコントラストが小さくなり潜像の視認性が低下するので、第１の光遮断要素（１３Ａ）の幅（Ｗ１）を第１の光透過性要素（１２Ａ）の幅（Ｗ２）より小さくする場合には、観察される潜像の視認性に応じて、第１の光遮断要素（１３Ａ）の幅（Ｗ１）を適宜調整する必要がある。
【００５７】
以上の説明は、第１の光透過性要素（１２Ａ）に隣接して第１の光遮断要素（１３Ａ）が配置される構成であるが、続いて、第１の光透過性要素（１２Ａ）に近接して第１の光遮断要素（１３Ａ）が配置される構成について説明する。
【００５８】
本発明において、第１の光透過性要素（１２Ａ）に近接する第１の光遮断要素（１３Ａ）の位置とは、前述した潜像の観察原理によって潜像を観察するために、基材（１０）に対して斜めから観察したときに、第１の光遮断要素（１３Ａ）が第１の光透過性要素（１２Ａ）を透過する光を遮断することが可能な位置のことである。
【００５９】
第１の光透過性要素（１２Ａ）に近接して第１の光遮断要素（１３Ａ）が配置される場合においても、第１の光透過性要素（１２Ａ）に対して同じ第１の方向（Ｓ１）に配置された第１の光遮断要素（１３Ａ）によって、一つの潜像の図柄が模られ、第１の方向（Ｓ１）に配置された第１の光遮断要素（１３Ａ）を有する第１の光透過性要素（１２Ａ）によって、第１の潜像（１６Ａ１）が形成される。また、第１の方向（Ｓ１）、第１の光遮断要素（１３Ａ）の形状についても、第１の光透過性要素（１２Ａ）に隣接して第１の光遮断要素（１３Ａ）が配置される場合と同様である。また、実際には、第１の光透過性要素（１２Ａ）に近接した第１の光遮断層（１１）の上に第１の光遮断要素（１３Ａ）が配置されるが、この状態のことを「近接する配置」として説明する。
【００６０】
具体的な配置の例としては、図１５（ａ）に示すように、各々の第１の光遮断要素（１３Ａ）を、第１の光透過性要素（１２Ａ）に対して、第１の方向（Ｓ１）に離れた同じ位置に配置してもよいし、図１５（ｂ）に示すように、各々の第１の光遮断要素（１３Ａ）の位置が異なってもよいし、図１５（ｃ）に示すように、複数の第１の光遮断要素（１３Ａ）の形状が異なってもよい。第１の光透過性要素（１２Ａ）に近接して第１の光遮断要素（１３Ａ）が配置する場合においては、基材（１０）に対して斜めから観察したときに、第１の光透過性要素（１２Ａ）を透過する光を遮断するように、第１の光遮断要素の高さ及び／又は第１の光透過性要素（１２Ａ）に対して第１の光遮断要素（１３Ａ）を配置する位置を適宜調整する必要がある。
【００６１】
また、以上に説明した、「隣接する配置」と「近接する配置」に対して、図１６に示すように、第１の光透過性要素（１２Ａ）に対して隣接して配置される第１の光遮断要素（１３Ａ）と第１の光透過性要素（１２Ａ）に対して近接して配置される第１の光遮断要素（１３Ａ）を備える構成であってもよい。
【００６２】
続いて、観察する方向に応じて、複数の潜像（１６）の図柄が観察される潜像印刷物（１）の構成について説明する。ここでは、これまで説明した潜像（１６）の図柄である「１」の文字に加えて、潜像印刷物（１）を観察する方向に応じて「２」、「３」、「４」の図柄が観察される例で説明する。また、第１の光透過性要素（１２Ａ）に隣接して第１の光遮断要素（１３Ａ）が形成される例で説明する。
【００６３】
図１７（ａ）は、潜像の図柄の一つである「１」の文字に対応した第１の光遮断要素（１３Ａ）の配置を示す図である。図１７（ｂ）は、潜像の図柄の一つである「２」の文字に対応した第１の光遮断要素（１３Ａ）の配置を示す図である。図１７（ｃ）は、潜像の図柄の一つである「３」の文字に対応した第１の光遮断要素（１３Ａ）の配置を示す図である。図１７（ｄ）は、潜像の図柄の一つである「４」の文字に対応した第１の光遮断要素（１３Ａ）の配置を示す図である。
【００６４】
以降の説明では、図１７に示すそれぞれの潜像（１６）の図柄を模る第１の光遮断要素（１３Ａ）を区別するため、図１７（ａ）に示す第１の光遮断要素を符号「（１３Ａ１）」として説明する。また、図１７（ｂ）に示す第１の光遮断要素を符号「（１３Ａ２）」として説明する。また、図１７（ｃ）に示す第１の光遮断要素を符号「（１３Ａ３）」として説明する。また、図１７（ｄ）に示す第１の光遮断要素を符号「（１３Ａ４）」として説明する。
【００６５】
以上に説明した、第１の光遮断要素（１３Ａ１、１３Ａ２、１３Ａ３、１３Ａ４）のそれぞれは、第１の光透過性要素（１２Ａ）に対して異なる方向に配置される。前述したように、第１の光遮断要素（１３Ａ１、１３Ａ２、１３Ａ３、１３Ａ４）が第１の光透過性要素（１２Ａ）に対して配置される方向の数は、観察される潜像の数と同じである。ここでは、四つの潜像が観察される例で説明しているので、第１の光遮断要素（１３Ａ１、１３Ａ２、１３Ａ３、１３Ａ４）のそれぞれは、第１の方向から第４の方向までの異なる方向に配置される。
【００６６】
図１８は、第１の光遮断層（１１）の上に重なる第１の光遮断要素（１３Ａ１、１３Ａ２、１３Ａ３、１３Ａ４）の配置の一例を示す平面図である。この配置の例では、図１８の拡大図に示すように、正方形で形成された第１の光透過性要素（１２Ａ）に対して、下方向に第１の光遮断要素（１３Ａ１）が形成され、右方向に第１の光遮断要素（１３Ａ２）が形成され、上方向に第１の光遮断要素（１３Ａ３）が形成され、左方向に第１の光遮断要素（１３Ａ４）が形成された状態を示している。図１８の拡大図に示すように、複数の潜像が観察される潜像印刷物（１）においては、一つの第１の光透過性要素（１２Ａ）に対して、複数の異なる方向に第１の光遮断要素が配置される箇所もある。
【００６７】
このように、複数の潜像（１６）の図柄が観察される潜像印刷物（１）において、第１の光遮断要素（１３Ａ１、１３Ａ２、１３Ａ３、１３Ａ４）のそれぞれが配置される方向は異なる。以降の説明では、複数の潜像が観察される潜像印刷物（１）において、第１の光遮断要素（１３Ａ１）が配置される方向を「第１の方向（Ｓ１）」、第１の光遮断要素（１３Ａ２）が配置される方向を「第２の方向（Ｓ２）」、第１の光遮断要素（１３Ａ３）が配置される方向を「第３の方向（Ｓ３）」、第１の光遮断要素（１３Ａ４）が配置される方向を「第４の方向（Ｓ４）」とする。
【００６８】
複数の潜像が観察される潜像印刷物（１）においても、一つの潜像の図柄を模るために、第１の光透過性要素（１２Ａ）に対して、第１の光遮断要素（１３Ａ１、１３Ａ２、１３Ａ３、１３Ａ４）のそれぞれが配置される方向は同じ方向であり、第１の光透過性要素（１２Ａ）に対して第１の方向に配置された第１の光遮断要素（１３Ａ１）によって、潜像の図柄の一つである「１」の文字が模られ、第１の方向（Ｓ１）に配置された第１の光遮断要素（１３Ａ１）を有する第１の光透過性要素（１２Ａ）によって、「１」の文字の潜像（以下、第１の潜像（１６Ａ１）という）が形成される。また、第１の光透過性要素（１２Ａ）に対して第２の方向（Ｓ２）に配置された第１の光遮断要素（１３Ａ２）によって、潜像の図柄の一つである「２」の文字が模られ、第２の方向に配置された第１の光遮断要素（１３Ａ２）を有する第１の光透過性要素（１２Ａ）によって、「２」の文字の潜像（以下、第２の潜像（１６Ａ２）という）が形成される。また、第１の光透過性要素（１２Ａ）に対して第３の方向（Ｓ３）に配置された第１の光遮断要素（１３Ａ３）によって、潜像の図柄の一つである「３」の文字が模られ、第３の方向に配置された第１の光遮断要素（１３Ａ３）を有する第１の光透過性要素（１２Ａ）によって、「３」の文字の潜像（以下、第３の潜像（１６Ａ３）という）が形成される。また、第１の光透過性要素（１２Ａ）に対して第４の方向（Ｓ４）に配置された第１の光遮断要素（１３Ａ４）によって、潜像の図柄の一つである「４」の文字が模られ、第４の方向に配置された第１の光遮断要素（１３Ａ４）を有する第１の光透過性要素（１２Ａ）によって、「４」の文字の潜像（以下、第４の潜像（１６Ａ４）という）が形成される。なお、第１の光遮断要素（１３Ａ１、１３Ａ２、１３Ａ３、１３Ａ４）の配置は、図１８に示す配置に限定されるものではなく、第１の光遮断要素（１３Ａ１、１３Ａ２、１３Ａ３、１３Ａ４）のそれぞれが配置される方向が異なっていればよい。
【００６９】
以上に説明したように、第１の光透過性要素（１２Ａ）に対して、第１の光遮断要素（１３Ａ１、１３Ａ２、１３Ａ３、１３Ａ４）が異なる方向に配置されて、真偽判別領域（５）には、図１９に示すように、第１の光遮断要素（１３Ａ１、１３Ａ２、１３Ａ３、１３Ａ４）が配置される。複数の潜像を形成する場合には、図１９に示すように、各潜像の図柄が、カモフラージュされるため、反射光で表側から観察しても潜像（１６）を視認することができない。このため、第１の光遮断要素（１３Ａ１、１３Ａ２、１３Ａ３、１３Ａ４）を形成するインキは、第１の光遮断層（１１）を形成するインキと異なる色であってもよい。
【００７０】
（潜像の観察）
以上の構成で成る潜像印刷物（１）の潜像を観察する場合、図２０に示すように、四つの観察点（Ａ、Ｂ、Ｃ、Ｄ）の位置から潜像を観察することができる。なお、図２０において、観察点（Ａ）は、第１の光透過性要素（１２Ａ）に対して第１の光遮断要素（１３Ａ１）が形成された第１の方向（Ｓ１）側から逆方向に向かって、かつ、基材（１０）に対して斜めの方向から観察した場合の視点（２０）の位置である。また、図２０において、観察点（Ｂ）は、第１の光透過性要素（１２Ａ）に対して第１の光遮断要素（１３Ａ２）が形成された第２の方向（Ｓ２）側から逆方向に向かって、かつ、基材（１０）に対して斜めの方向から観察した場合の視点（２０）の位置である。また、図２０において、観察点（Ｃ）は、第１の光透過性要素（１２Ａ）に対して第１の光遮断要素（１３Ａ３）が形成された第３の方向（Ｓ３）側から逆方向に向かって、かつ、基材（１０）に対して斜めの方向から観察した場合の視点（２０）の位置である。また、図２０において、観察点（Ｄ）は、第１の光透過性要素（１２Ａ）に対して第１の光遮断要素（１３Ａ４）が形成された第４の方向（Ｓ４）側から逆方向に向かって、かつ、基材（１０）に対して斜めの方向から観察した場合の視点（２０）の位置である。
【００７１】
図２０（ｂ）は、図２０（ａ）に示すＸ−Ｘ’線における断面図である。視点（２０）が観察点（Ａ）に位置するとき、第１の光透過性要素（１２Ａ）に隣接して第１の光遮断要素（１３Ａ１）が形成された部分、すなわち、「１」の文字に対して背景と成る部分では、光源（２１）の光が第１の光遮断要素（１３Ａ１）によって遮断される。一方、第１の光透過性要素（１２Ａ）に隣接して第１の光遮断要素（１３Ａ１）が形成されない部分、すなわち、「１」の文字の部分では、光源（２１）の光がそのまま透過して、「１」の文字が第１の潜像（１６Ａ１）として観察される。なお、図２０（ｂ）に示すように、視点（２０）が観察点（Ａ）に位置するとき、第１の光遮断要素（１３Ａ３）が「１」の文字の潜像（１６）の観察に影響することはない。
【００７２】
次に、視点（２０）が観察点（Ｃ）に位置するときの潜像の観察原理ついて説明する。視点（２０）が観察点（Ｃ）に位置するとき、第１の光透過性要素（１２Ａ）に隣接して第１の光遮断要素（１３Ａ３）が形成された部分、すなわち、「３」の文字に対して背景と成る部分では、光源（２１）の光が第１の光遮断要素（１３Ａ３）によって遮断される。一方、第１の光透過性要素（１２Ａ）に隣接して第１の光遮断要素（１３Ａ３）が形成されない部分、すなわち、「３」の文字の部分では、光源（２１）の光がそのまま透過して、「３」の文字が第３の潜像（１６Ａ３）として観察される。なお、図２０（ｂ）に示すように、視点（２０）が観察点（Ｃ）に位置するとき、第１の光遮断要素（１３Ａ１）が「３」の文字の潜像（１６）の観察に影響することはない。
【００７３】
図２０（ｃ）は、図２０（ａ）に示すＹ−Ｙ’線における断面図である。視点（２０）が観察点（Ｂ）に位置するとき、第１の光透過性要素（１２Ａ）に隣接して第１の光遮断要素（１３Ａ２）が形成された部分、すなわち、「２」の文字に対して背景と成る部分では、光源（２１）の光が第１の光遮断要素（１３Ａ２）によって遮断される。一方、第１の光透過性要素（１２Ａ）に隣接して第１の光遮断要素（１３Ａ２）が形成されない部分、すなわち、「２」の文字の部分では、光源（２１）の光がそのまま透過して、「２」の文字が第２の潜像（１６Ａ２）として観察される。なお、図２０（ｃ）に示すように、視点（２０）が観察点（Ｂ）に位置するとき、第１の光遮断要素（１３Ａ４）が「２」の文字の潜像（１６）の観察に影響することはない。
【００７４】
次に、視点（２０）が観察点（Ｄ）に位置するときの潜像の観察原理ついて説明する。視点（２０）が観察点（Ｄ）に位置するとき、第１の光透過性要素（１２Ａ）に隣接して第１の光遮断要素（１３Ａ４）が形成された部分、すなわち、「４」の文字に対して背景と成る部分では、光源（２１）の光が第１の光遮断要素（１３Ａ４）によって遮断される。一方、第１の光透過性要素（１２Ａ）に隣接して第１の光遮断要素（１３Ａ４）が形成されない部分、すなわち、「４」の文字の部分では、光源（２１）の光がそのまま透過して、「４」の文字が第４の潜像（１６Ａ４）として観察される。なお、図２０（ｃ）に示すように、視点（２０）が観察点（Ｄ）に位置するとき、第１の光遮断要素（１３Ａ２）が「４」の文字の潜像（１６）の観察に影響することはない。
【００７５】
このように、複数の潜像の図柄に対応した第１の光遮断要素（１３Ａ１、１３Ａ２、１３Ａ３、１３Ａ４）のそれぞれを、一つの第１の光透過性要素（１２Ａ）に対して異なる方向に配置する構成とした場合には、透過光で観察する方向に応じて、第１の潜像（１６Ａ１）から第４の潜像（１６Ａ４）までの、複数の異なる潜像（１６）が観察される。そして、潜像印刷物（１）の観察者は、斜めの方向から観察される潜像（１６）と、観察する方向によって現れる潜像（１６）の図柄が変化することで真偽判別を行うことができる。なお、裏側の面から観察した場合も、観察する方向に応じて四つの潜像を観察することができる。
【００７６】
複数の潜像が形成された潜像印刷物（１）において、図２１（ａ）に示すように、第１の光遮断要素（１３Ａ）の形状が部分的に異なってもよい。また、図２１（ｂ）に示すように、第１の光透過性要素（１２Ａ）に近接して第１の光遮断要素（１３Ａ）を配置してもよい。また、図２１（ｃ）に示すように、第１の光透過性要素（１２Ａ）のうち、一部に第１の光遮断要素（１３Ａ）を隣接して配置し、残りは第１の光透過性要素（１２Ａ）に第１の光遮断要素（１３Ａ）を近接して配置する構成としてもよい。このとき、複数形成される第１の光透過性要素（１２Ａ）の一つに対して配置される第１の光遮断要素（１３Ａ）が、他の第１の光透過性要素（１２Ａ）を通して観察される潜像（１６）に影響しないように、第１の光遮断要素（１３Ａ）を配置する必要がある。
【００７７】
複数の潜像が形成される潜像印刷物（１）について、四つの潜像が観察される例で説明したが、本発明の潜像印刷物（１）においては、さらに、異なる方向に第１の光遮断要素（１３Ａ）を配置することで、多数の潜像を出現させることができる。
【００７８】
以上の構成で成る潜像印刷物（１）において、第１の光遮断層（１１）の上に、画素及び画線のいずれか又はそれらの組み合わせから成り、反射光で観察される画像（以下、反射画像（３０）という）を備える構成としてもよい。反射画像（３０）を構成する画線と画素は、第１の光透過性要素（１２Ａ）及び第１の光遮断要素（１３Ａ）と重複しない位置に形成される。このとき、第１の光遮断層（１１）と第１の光遮断要素（１３Ａ）は、同じ色のインキで形成するのが好ましい。これは、第１の光遮断層（１１）と第１の光遮断要素（１３Ａ）を同じ色のインキで形成することで、反射光で観察した場合には、一定の背景として観察されるので、反射画像の視認性に与える影響が小さいからである。
【００７９】
なお、本発明において、「画素」とは、印刷画像を構成する最小単位である印刷網点自体か、あるいは印刷網点を複数集合させて形成した一塊の画像要素であって、例えば円、三角形や四角形等を含む多角形、星形等の各種図形、あるいは文字や記号等が含まれ、画素の形状は如何なるものであってもよい。また、本発明において、「画線」とは、印刷画像を形成する最小単位である印刷網点を、所定方向に隙間なく連続して配置することにより形成した画像要素であって、例えば直線、曲線、波線、点線や破線等の分断線等が含まれ、画線の形状は如何なるものであってもよい。
【００８０】
第１の光遮断層（１１）の上に、画素によって反射画像（３０）が形成される構成について、図を用いて説明する。図２２（ａ）は、画素の幅（Ｘ）、画素の高さ（Ｙ）の正方形の画素（３１）がピッチ（Ｐ２）で規則的に配置されて、アルファベットの「Ｂ」の文字が形成されて成る反射画像（３０）を示している。このような、反射画像（３０）を第１の光遮断層（１１）の上に形成する場合、図２２（ｂ）に示すように、反射画像（３０）を構成する画素（３１）の一つ一つを第１の光遮断層（１１）の上に形成していく。図２２（ｂ）に示す画素（３１）は、反射画像（３０）の一部を構成するものであるが、実際には、複数の画素の集合によって、反射画像（３０）が形成される。反射画像（３０）は、「Ｂ」の文字の他に、数字、記号、図形、図柄、マーク及び模様のいずれか又はその組み合わせで形成されてもよい。  
【００８１】
なお、反射画像（３０）を形成した潜像印刷物（１）は、透過光による観察においても、光が基材（１０）や光透過性要素（１２）を回り込んで、反射画像（３０）が観察されてしまうことがあり、その場合、潜像（１６）の視認性が低下してしまう。透過光による観察で、反射画像（３０）が観察されないためには、図２３に示すように、画素（３１）に隣接する位置に第２の光遮断要素（１３Ｂ）を形成すればよい。第２の光遮断要素（１３Ｂ）の構成は、第１の光遮断要素（１３Ａ）と同様であり、光遮断性のインキで形成されて盛り上がりを有する構成となっている。なお、第２の光遮断要素（１３Ｂ）を形成するインキは、第１の光遮断要素（１３Ａ）を形成するインキと特色のインキであってもよいし、異なる色のインキであってもよい。反射画像（３０）を備える潜像印刷物（１）において、画素（３１）に近接する位置に第２の光遮断要素（１３Ｂ）を形成してもよいが（図示せず）、第２の光遮断要素（１３Ｂ）が、透過光で観察される潜像（１６）に影響しない位置に配置する必要がある。このように、画素（３１）に隣接又は近接する位置に第２の光遮断要素（１３Ｂ）を形成することによって、透過光で傾けて観察したときに、画素（３１）が第２の光遮断要素（１３Ｂ）の影となるので、画素（３１）が観察されることはない。
【００８２】
（第２の実施の形態）
第１の実施の形態の潜像印刷物（１）は、真上から透過光を観察した場合に、マトリクス上に配置された第１の光透過性要素（１２Ａ）を通して、光が観察されるだけであって、文字や数字、記号、図形、マーク、模様の有意味な情報が得られるものではないが、第２の実施の形態は、真上から観察した場合も、画像を観察することができる。第２の実施の形態の潜像印刷物（１）について、第１の実施の形態と異なる点について説明する。なお、第２の実施の形態の潜像（１６）の図柄は、第１の実施の形態で説明した複数の潜像（１６）が観察される潜像印刷物（１）の構成と同じであり、四つの方向から潜像（１６）の図柄が形成される例で説明する。
【００８３】
（第１の光遮断層）
図２４（ａ）は、第２の実施の形態における、真偽判別領域（５）の第１の光遮断層（１１）を示す平面図であり、第１の光遮断層（１１）には、図２４（ｂ）に示す背景画像（１７）と図２４（ｃ）に示す情報画像（１８）が形成される。続いて、背景画像（１７）と情報画像（１８）の構成について説明する。
【００８４】
（背景画像）
図２４（ｂ）に示す背景画像（１７）は、第１の光透過性要素（１２Ａ）が、規則的に複数配置されて成る。すなわち、第２の実施の形態において、第１の光遮断層（１１）に形成される背景画像（１７）の構成は、第１の実施の形態で説明した、第１の光遮断層（１１）に形成される第１の光透過性要素（１２Ａ）の構成と同じである。このとき、背景画像（１７）を構成する第１の光透過性要素（１２Ａ）に隣接又は近接する位置には、第１の実施の形態と同様に、潜像（１６）の図柄を模る第１の光遮断要素（１３Ａ１、１３Ａ２、１３Ａ３、１３Ａ４）が配置される（図示せず）。
【００８５】
図２４（ｂ）に示す構成の第１の光遮断層（１１）のみを、透過光で真上から観察した場合、規則的に配置された第１の光透過性要素（１２Ａ）を光が透過するが、光の透過する間隔が一定であるので、濃淡のないフラットな明るさの画像として観察される。
【００８６】
第２の実施の形態では、続いて説明する情報画像（１８）を形成するための第２の光透過性要素が配置される点が異なる。
【００８７】
（情報画像）
図２４（ｃ）に示す情報画像（１８）は、背景画像（１７）を構成する第１の光透過性要素（１２Ａ）と重複しない位置に配置された第２の光透過性要素（１２Ｂ）によって構成される。図２４（ｃ）では、第１の光透過性要素（１２Ａ）と第２の光透過性要素（１２Ｂ）が重複しない位置に配置された状態を分かりやすく示すために、情報画像（１８）を構成する第２の光透過性要素（１２Ｂ）を斜線で示すとともに、背景画像（１７）を構成する第１の光透過性要素（１２Ａ）を点線で示し、第１の光遮断層（１１）の範囲のみを破線で図示している。なお、第２の光透過性要素（１２Ｂ）は、第１の光透過性要素（１２Ａ）と同様に、光遮断性のインキが施されないことによって形成され、図２４（ｃ）に示す例では、第２の光透過性要素（１２Ｂ）の配置によって、三角形の図柄の情報画像（１８）が形成された状態を示している。
【００８８】
図２４（ｃ）では、第１の光透過性要素（１２Ａ）と第２の光透過性要素（１２Ｂ）の配置のみを示しているが、前述のように、第１の光透過性要素（１２Ａ）に隣接又は近接する位置には、第１の光遮断要素（１３Ａ１、１３Ａ２、１３Ａ３、１３Ａ４）が配置されており、第２の光透過性要素（１２Ｂ）は、第１の光透過性要素（１２Ａ）及び第１の光遮断要素（１３Ａ）と重複しない位置に配置される。
【００８９】
図２４（ｃ）に示すように、背景画像（１７）を構成する第１の光透過性要素（１２Ａ）と情報画像（１８）を構成する第２の光透過性要素（１２Ｂ）が、重なり合わないように配置されることによって、観察者が、潜像印刷物（１）を真上から観察した場合に、第１の光透過性要素（１２Ａ）と第２の光透過性要素（１２Ｂ）が形成された領域の中に、面積率の差異による明暗が生じ、情報画像（１８）が観察される。なお、本発明における面積率とは、第１の光遮断層（１１）の一定の面積の中に形成される光透過性要素の割合のことであり、面積率の大きい部分は明るく観察され、面積率の小さい部分は暗く観察される。図２４に示す例の場合、フラットな明るさの画像として観察される背景画像（１７）に対して、情報画像（１８）が明るく観察される。
【００９０】
図２４（ｃ）に示す情報画像（１８）は、複数の第２の光透過性要素（１２Ｂ）の配置によって、「三角形」の図柄が形成される例を示しているが、本発明において、情報画像（１８）に形成される図柄は、三角形の他に、円でも多角形でも星型等でも良く、その他に文字、数字、記号、図形、マーク及び模様のいずれか又はその組み合わせでもよい。
【００９１】
情報画像（１８）を構成する第２の光透過性要素（１２Ｂ）の形状は、背景画像（１７）を構成する第１の光透過性要素（１２Ａ）と異なる形状であってもよい。また、情報画像（１８）を構成する一つ一つの第２の光透過性要素（１２Ｂ）の大きさは、同じ大きさでもよいし、異なる大きさであってもよい。図２４（ｃ）に示す複数の第２の光透過性要素（１２Ｂ）は、全て同じ大きさで形成される例を示しており、この場合、濃淡のないフラットな明るさの情報画像（１８）が形成される。一方、仮に、複数の第２の光透過性要素（１２Ｂ）の一部を異ならせた場合には、第２の光透過性要素（１２Ｂ）の大きさによって明暗が生じ、複数の明るさを有する情報画像（１８）が形成される。
【００９２】
図２５は、第２の実施の形態の潜像印刷物（１）の真偽判別領域（５）の一部斜視図であり、第１の光遮断層（１１）には、第１の光透過性要素（１２Ａ）が規則的に複数配置されて図２４（ｂ）に示した背景画像（１７）が形成され、第１の光透過性要素（１２Ａ）に隣接する位置には、第１の実施の形態と同様に、潜像（１６）の図柄を模る第１の光遮断要素（１３Ａ）が配置される。また、第１の光透過性要素（１２Ａ）及び第１の光遮断要素（１３Ａ）と重複しない位置に、第２の光透過性要素（１２Ｂ）が複数配置されて図２４（ｃ）に示した情報画像（１８）が形成される。さらに、第２の実施の形態の潜像印刷物（１）においては、情報画像（１８）を構成する第２の光透過性要素（１２Ｂ）の輪郭の全体に隣接する第１の光遮断層（１１）の上に、光遮断性のインキで形成された第３の光遮断要素（１３Ｃ）が配置される。第３の光遮断要素（１３Ｃ）の構成についても、第１の光遮断要素（１３Ａ）と同様であり、光遮断性のインキで形成されて盛り上がり有する構成となっている。なお、第３の光遮断要素（１３Ｃ）を形成するインキは、第１の光遮断要素（１３Ａ）を形成するインキと特色のインキであってもよいし、異なる色のインキであってもよい。図２５では、第２の光透過性要素（１２Ｂ）に隣接して第３の光遮断要素（１３Ｃ）が配置された状態を示しているが、第２の光透過性要素（１２Ｂ）に近接する位置に第３の光遮断要素（１３Ｃ）を配置してもよい。ただし、この場合には、第３の光遮断要素（１３Ｃ）が、透過光で観察される潜像（１６）に影響しない位置に配置する必要がある。
【００９３】
（潜像の観察）
以上の構成で成る潜像印刷物（１）を斜めの方向から観察した場合には、情報画像（１８）を構成する第２の光透過性要素（１２Ｂ）の周囲の全体に、第３の光遮断要素（１３Ｃ）が配置されることによって、どの方向から観察しても光源の光が遮断されるので、潜像（１６）の観察に影響することはなく、斜めの方向から観察した場合には、第１の実施の形態と同様に、第１の光透過性要素（１２Ａ）と第１の光遮断要素（１３Ａ１、１３Ａ２、１３Ａ３、１３Ａ４）の関係で潜像（１６）が観察される。
【００９４】
また、第２の実施の形態の潜像印刷物（１）は、前述したように、正面から観察した場合には、第１の光透過性要素（１２Ａ）と第２の光透過性要素（１２Ｂ）が形成された領域の中に、面積率の差異による明暗が生じ、情報画像（１８）が観察されることから、真偽判別を行わない状態、すなわち、斜めから観察しない状態においても、有意味な情報を観察することができ、印刷物としての意匠性を備えるともに、真偽判別の際には、正面から観察される有意味な情報から潜像（１６）の図柄に変化することで、真偽判別を行うことができる。
【００９５】
以上に説明した第２の実施の形態においても、図２６に示すように、第１の光透過性要素（１２Ａ）及び第２の光透過性要素（１２Ｂ）が配置されていない第１の光遮断層（１１）の上に、画素（３１）を形成して、反射画像（３０）を備える構成としてもよい。このとき、透過光による観察の際に、光の回り込みによって反射画像（３０）が観察されるのを防止するため、画素（３１）に隣接又は近接する位置に第２の光遮断要素（１３Ｂ）を配置してもよい（図示せず）。ただし、画素（３１）に近接して第２の光遮断要素（１３Ｂ）を配置する場合には、第２の光遮断要素（１３Ｂ）が、透過光で観察される潜像（１６）に影響しない位置に配置する必要がある。なお、反射画像（３０）は、図２６に示す画素（３１）による構成だけでなく、前述のように画線であってもよいし、画素と画線の組み合わせであってもよい。
【符号の説明】
【００９６】
１  潜像印刷物
５  真偽判別領域
１０  基材
１１  第１の光遮断層
１２Ａ  第１の光透過性要素
１２Ｂ  第２の光透過性要素
１３Ａ  第１の光遮断要素
１３Ａ１、１３Ａ２、１３Ａ３、１３Ａ４  第１の光遮断要素
１３Ｂ  第２の光遮断要素
１３Ｃ  第３の光遮断要素
１６  潜像
１６Ａ１  第１の潜像
１６Ａ２  第２の潜像
１６Ａ３  第３の潜像
１６Ａ４  第４の潜像
１７  背景画像
１８  情報画像
２０  視点
２１  光源
３０  反射画像
３１  画素
【図１】
0005629944.tif 000002
【図２】
0005629944.tif 000003
【図３】
0005629944.tif 000004
【図４】
0005629944.tif 000005
【図５】
0005629944.tif 000006
【図６】
0005629944.tif 000007
【図７】
0005629944.tif 000008
【図８】
0005629944.tif 000009
【図９】
0005629944.tif 000010
【図１０】
0005629944.tif 000011
【図１１】
0005629944.tif 000012
【図１２】
0005629944.tif 000013
【図１３】
0005629944.tif 000014
【図１４】
0005629944.tif 000015
【図１５】
0005629944.tif 000016
【図１６】
0005629944.tif 000017
【図１７】
0005629944.tif 000018
【図１８】
0005629944.tif 000019
【図１９】
0005629944.tif 000020
【図２０】
0005629944.tif 000021
【図２１】
0005629944.tif 000022
【図２２】
0005629944.tif 000023
【図２３】
0005629944.tif 000024
【図２４】
0005629944.tif 000025
【図２５】
0005629944.tif 000026
【図２６】
0005629944.tif 000027